(57)【特許請求の範囲】
【請求項１】
金属ケース内に収納されるプリント基板と、前記プリント基板上に配置された少なくとも高周波回路、周波数変換回路及び共振回路、ＰＬＬ回路、中間周波回路、第一の線路導体、第二の線路導体とを備え、前記ＰＬＬ回路は、外部から入力される選局信号に基づいて受信すべきバンドを選択するバンド切替電圧を前記高周波回路に供給するバンドデコーダを含み、前記第一の線路導体は、前記バンド切替電圧を前記高周波回路に供給するもので、前記バンドデコーダと前記高周波回路の間に接続配置し、前記第二の線路導体は、前記選局信号を前記ＰＬＬ回路に供給するもので、選局信号入力端子と前記ＰＬＬ回路との間に接続配置し、前記第一の線路導体の一部と前記第二の線路導体とを隣接するように配置し、隣接する前記第一の線路導体の一部と前記第二の線路導体との間に高周波的に接地した接地導体を配置したことを特徴とするテレビジョンチューナ。
【請求項２】
前記第二の線路導体は、その両端側に直列抵抗を挿入接続したものであることを特徴とする請求項１に記載のテレビジョンチューナ。
【請求項３】
前記接地導体は、前記第二の線路導体を囲むように環状に形成し、前記第二の線路導体と前記接地導体との交差部に前記接地導体を跨ぐように前記直列抵抗を配置したものであることを特徴とする請求項２に記載のテレビジョンチューナ。
【請求項４】
前記第一の線路導体と前記接地導体とは、高周波的に低インピーダンスを呈するコンデンサで接続されていることを特徴とする請求項１乃至３の中のいずれか１項に記載のテレビジョンチューナ。
【請求項５】
前記プリント基板上には、前記第二の線路導体に隣接するように電源電圧供給用の第三の線路導体を配置し、前記接地導体の一部が前記第三の線路導体に接続されていることを特徴とする請求項１乃至４の中のいずれか１項に記載のテレビジョンチューナ。
【請求項６】
前記第二の線路導体は、その途中と接地点間にコンデンサを接続し、前記コンデンサと前記直列抵抗とによりＴ型ハイパスフィルタが構成されていることを特徴とする請求項５に記載のテレビジョンチューナ。
【請求項７】
金属ケース内に収納されるプリント基板と、前記プリント基板上に配置された少なくとも高周波回路、周波数変換回路及び共振回路、ＰＬＬ回路、中間周波回路、第一の線路導体、第二の線路導体とを備え、前記ＰＬＬ回路は、外部から入力される選局信号に基づいて受信すべきバンドを選択するバンド切替電圧を前記高周波回路に供給するバンドデコーダを含み、前記第一の線路導体は、前記バンド切替電圧を前記高周波回路に供給するもので、前記バンドデコーダと前記高周波回路の間に接続配置し、前記第二の線路導体は、前記選局信号を前記ＰＬＬ回路に供給するもので、選局信号入力端子と前記ＰＬＬ回路との間に接続配置し、前記第二の線路導体は、その両端側に直列抵抗を挿入接続するとともに、その途中と接地点間にコンデンサを接続し、前記コンデンサと前記直列抵抗とによりＴ型ハイパスフィルタが構成されていることを特徴とするテレビジョンチューナ。
【発明の詳細な説明】
【０００１】
【発明の属する技術分野】
本発明はテレビジョンチューナに関し、詳しくはチャンネルを選局するためのチャンネル選局信号が局部発振回路に印加するバンド切換電圧に重畳するのを防止したテレビジョンチューナに関する。
【０００２】
【従来の技術】
図２は従来のテレビジョンチューナにおける各回路の概略レイアウトと相互の接続関係とを示しいる。金属ケース（図示せず）内に収納されたプリント基板５１上のほぼ中央部には、集積回路５２が搭載され、集積回路５２の周囲には高周波回路部５３、中間周波同調回路（ＩＦ同調）５４、共振回路部５５等が構成される。そして、集積回路５２と高周波回路部５３、中間周波同調回路５４、共振回路部５５等とがプリント基板５１上に形成された導体線路によって接続される。
【０００３】
集積回路５２にはＶＨＦのローバンド用局部発振回路（ＶＬｏ／ｏｓｃ）５２ａ、ＶＨＦのハイバンド用局部発振回路（ＶＨｉ／ｏｓｃ）５２ｂ、ＵＨＦバンド用局部発振回路（Ｕ／ｏｓｃ）５２ｃ、ＶＨＦバンド用混合回路（Ｖ／ｍｉｘ）５２ｄ、ＵＨＦバンド用混合回路（Ｕ／ｍｉｘ）５２ｅ、中間周波増幅回路（ＩＦ／ＡＭＰ）５２ｆ、ＰＬＬ回路（ＰＬＬ）５２ｇ等が構成されている。ＰＬＬ回路５２ｇ内には各バンドを切り替えるためのバンド切替電圧を発生するバンドデコーダも構成されている。
【０００４】
集積回路５２内ではＰＬＬ回路５２ｇとローバンド用局部発振回路５２ａ、ハイバンド用局部発振回路５２ｂ、ＵＨＦバンド用局部発振回路５２ｃとが内部配線５２ｈによって相互に接続され、ＶＨＦバンド用混合回路５２ｄとローバンド用局部発振回路５２ａ、ＶＨＦバンド用混合回路５２ｄとハイバンド用局部発振回路５２ｂ、ＵＨＦバンド用混合回路５２ｅとＵＨＦバンド用局部発振回路５２ｃとが内部配線５２ｉによって相互に接続されている。
そして、ＰＬＬ回路５２ｇから出力されるバンド切換電圧が各局部発振回路５２ａ、５２ｂ、５２ｃのいずれかに入力され、入力された局部発振回路から出力される局部発振信号がＰＬＬ回路５２ｇに入力されると共にＶＨＦバンド用混合回路５２ｄまたはＵＨＦバンド用混合回路５２ｅに入力される。
【０００５】
高周波回路部５３は、ＶＨＦバンドのテレビジョン信号の中から受信すべきテレビジョン信号を選択すると共に増幅するＶＨＦバンド用高周波回路（Ｖ／ｒｆ）５３ａと、ＵＨＦバンドのテレビジョン信号の中から受信すべきテレビジョン信号を選択すると共に増幅するＵＨＦバンド用高周波回路（Ｕ／ｒｆ）５３ｂとを有している。そして、ＶＨＦバンド用高周波回路５３ａがＶＨＦバンド用混合回路５２ｄに接続され、ＵＨＦバンド用高周波回路５３ｂがＵＨＦバンド用混合回路５２ｅに接続される。
【０００６】
また、共振回路部５５はローバンド用局部発振回路５２ａに接続されるローバンド用共振回路（ＶＬｏ／共振）５５ａ、ハイバンド用局部発振回路５２ａに接続されるハイバンド用共振回路（ＶＨｉ／共振）５５ｂ、ＵＨＦバンド用局部発振回路５２ｃに接続されるＵＨＦバンド用共振回路（Ｕ／共振）５５ｃを有している。これら共振回路５５ａ、５５ｂ、５５ｃはそれぞれのバンドの発振周波数設定用のものである。
また、中間周波同調回路５４はＶＨＦバンド用混合回路５２ｄとＵＨＦバンド用混合回路５２ｅとに接続されると共に中間周波増幅回路５２ｆに接続される。
【０００７】
さらに、プリント基板５１上にはＰＬＬ回路５２ｇから出力されたバンド切替電圧を高周波回路部５３に入力するための三本の第一の線路導体５６が形成されており、ＰＬＬ回路５２ｇとＶＨＦバンド用高周波回路５３ａとの間がローバンド用の第一の線路導体５６ａ、ハイバンド用の第一の線路導体５６ｂによって接続され、ＰＬＬ回路５２ｇとＵＨＦバンド用高周波回路５３ｂとの間がＵＨＦバンド用の第一の線路導体５６ｃによって接続される。
また、プリント基板５１上にはＰＬＬ回路５２ｇに接続された選局信号用の二本の第二の線路導体５７と、各回路に接続される電源電圧供給用の第三の線路導体５８とが形成されており、第二の線路導体５７は第一の線路導体５６に隣接し、第三の線路５８は第二の線路導体５７に隣接している。そして、図示しないテレビジョン受信機本体部内に設けられた選局手段（ＣＰＵ）５９から出力された選局信号を構成する選局データとクロック信号とがそれぞれ第三の導体線路５７ａ、５７ｂを介してＰＬＬ回路５２ｇに入力され、電源回路６０から第三の線路導体５８に電源電圧が供給される。
【０００８】
以上の構成において、ＶＨＦのローバンドのテレビジョン信号を受信するときは選局手段５９から出力された選局信号がＰＬＬ回路５２ｇに入力され、ＰＬＬ回路５２ｇが発生するローバンド用切換電圧は内部配線５２ｈを介してローバンド用局部発振回路５２ａに入力すると共にローバンド用の第一の線路導体５６ａを介してＶＨＦバンド用高周波回路５３ａに入力する。すると、ＶＨＦバンド用高周波回路５３ａからＶＨＦ混合回路５２ｄにローバンドのテレビジョン信号が入力され、同時に、ローバンド用局部発振回路５２ａからローバンド用の局部発振信号がＶＨＦバンド用混合回路５２ｄに入力される。そして、ＶＨＦバンド用混合回路５２ｄから中間周波信号が出力され、これは中間周波同調回路５４、中間周波増幅回路５２ｆを介して出力端６１に出力される。
【０００９】
同様に、ＶＨＦのハイバンドのテレビジョン信号を受信するときは選局手段５９からＰＬＬ回路５２ｇに選局信号が入力され、ＰＬＬ回路５２ｇが発生するハイバンド用切換電圧はハイバンド用局部発振回路５２ｂに入力すると共にハイバンド用の第一の線路導体５６ｂを介してＶＨＦバンド用高周波回路５３ａに入力する。すると、ＶＨＦバンド用高周波回路５３ａからＶＨＦバンド用混合回路５２ｄにハイバンドのテレビジョン信号が入力され、同時に、ハイバンド用局部発振回路５２ｂからハイバンド用の局部発振信号がＶＨＦバンド用混合回路５２ｄに入力される。そして、ＶＨＦバンド用混合回路５２ｄから中間周波信号が出力され、これは中間周波同調回路５４、中間周波増幅回路５２ｆを介して出力端６１に出力される。
【００１０】
同様に、ＵＨＦのハイバンドのテレビジョン信号を受信するときは選局手段５９からＰＬＬ回路５２ｇに選局信号が入力され、ＰＬＬ回路５２ｇが発生するＵＨＦバンド用切換電圧はＵＨＦバンド用局部発振回路５２ｃに入力すると共にＵＨＦバンド用の第一の線路導体５６ｃを介してＵＨＦバンド用高周波回路５３ｂに入力する。すると、ＵＨＦバンド用高周波回路５３ｂからＵＨＦバンド用混合回路５２ｅにＵＨＦバンドのテレビジョン信号が入力され、同時に、ＵＨＦバンド用局部発振回路５２ｃからＵＨＦバンド用の局部発振信号がＵＨＦバンド用混合回路５２ｅに入力される。そして、ＵＨＦバンド用混合回路５２ｅから中間周波信号が出力され、これは中間周波同調回路５４、中間周波増幅回路５２ｆを介して出力端６１に出力される。
【００１１】
【発明が解決しようとする課題】
上記の構成においては、プリント基板５１上に形成されている第一乃至第三の線路導体５６、５７、５８は互いに隣接して設けられているので、これら線路導体は相互に電気的に結合しやすくなっており、第二の線路導体５７を介して入力される選局信号が第一の線路導体５６に飛び移る。このため、第一の線路導体５６に出力されているバンド切換電圧に選局信号が重畳され、これが内部配線５２ｈを介して各局部発振回路５２ａ乃至５２ｃに入力される。すると、局部発振信号は位相ノイズが大きくなってＣ／Ｎが劣化する。局部発振信号のＣ／Ｎ劣化は中間周波信号のＳ／Ｎ及び位相特性を悪化させ、画像にノイズが現れたり色ムラが生じたりするという問題を発生する。
【００１２】
また、テレビジョン受信機本体部の選局手段５９から送られてくる選局信号には、テレビジョン受信機本体部に設けられたクリスタル発振子が発生する数ＭＨｚの信号やその高調波が重畳されており、これら高調波などがＰＬＬ回路５２ｇに入力されたり、他の回路に漏洩して不要なビート信号を作り、その結果受信妨害を起こしていた。
【００１３】
そこで、本発明のテレビジョンチューナは、ＰＬＬ回路に入力する選局信号がバンド切換電圧に重畳されることを防止して、局部発振信号の位相ノイズを出来るだけ少なくすることを目的としている。
【００１４】
また、本発明のテレビジョンチューナは、選局信号に重畳されて入力されるテレビジョン受信機本体部からの不要な信号がＰＬＬ回路や他の回路に入力されるのを防止することを目的としている。
【００１５】
【課題を解決するための手段】
上記の課題を解決するために、本発明のテレビジョンチューナは、金属ケース内に収納されるプリント基板と、前記プリント基板上に配置された少なくとも高周波回路、周波数変換回路及び共振回路、ＰＬＬ回路、中間周波回路、第一の線路導体、第二の線路導体とを備え、前記ＰＬＬ回路は、外部から入力される選局信号に基づいて受信すべきバンドを選択するバンド切替電圧を前記高周波回路に供給するバンドデコーダを含み、前記第一の線路導体は、前記バンド切替電圧を前記高周波回路に供給するもので、前記バンドデコーダと前記高周波回路の間に接続配置し、前記第二の線路導体は、前記選局信号を前記ＰＬＬ回路に供給するもので、選局信号入力端子と前記ＰＬＬ回路との間に接続配置し、前記第一の線路導体の一部と前記第二の線路導体とを隣接するように配置し、隣接する前記第一の線路導体の一部と前記第二の線路導体との間に高周波的に接地した接地導体を配置したものである。
【００１６】
また、本発明のテレビジョンチューナは、前記第二の線路導体の両端側には直列に抵抗を挿入した。
【００１７】
また、本発明のテレビジョンチューナは、前記接地導体を延在して環状となすと共に前記第二の線路導体を囲み、前記接地導体を前記抵抗で跨がせた。
【００１８】
また、本発明のテレビジョンチューナは、前記第一の線路導体を高周波的に低インピーダンスとなるコンデンサによって前記接地導体に接続した。
【００１９】
また、本発明のテレビジョンチューナは、前記プリント基板上には前記各回路に電源電圧を供給するための第三の線路導体が前記第二の線路導体に隣接して形成されており、前記接地導体を前記第三の線路導体に接続した。
【００２０】
また、本発明のテレビジョンチューナは、前記第二の線路導体とグランドとの間にコンデンサを接続し、前記コンデンサと前記抵抗とによってＴ型のハイパスフィルタを構成した。
【００２１】
また、本発明のテレビジョンチューナは、金属ケース内に収納されるプリント基板と、前記プリント基板上に配置された少なくとも高周波回路、周波数変換回路及び共振回路、ＰＬＬ回路、中間周波回路、第一の線路導体、第二の線路導体とを備え、前記ＰＬＬ回路は、外部から入力される選局信号に基づいて受信すべきバンドを選択するバンド切替電圧を前記高周波回路に供給するバンドデコーダを含み、前記第一の線路導体は、前記バンド切替電圧を前記高周波回路に供給するもので、前記バンドデコーダと前記高周波回路の間に接続配置し、前記第二の線路導体は、前記選局信号を前記ＰＬＬ回路に供給するもので、選局信号入力端子と前記ＰＬＬ回路との間に接続配置し、前記第二の線路導体は、その両端側に直列抵抗を挿入接続するとともに、その途中と接地点間にコンデンサを接続し、前記コンデンサと前記直列抵抗とによりＴ型ハイパスフィルタが構成されているものである。
【００２２】
【発明の実施の形態】
図１は本発明のテレビジョンチューナにおける各回路の概略レイアウトと相互の接続関係とを示しいる。プリント基板１は図示しない金属ケース内に収納されており、その上面のほぼ中央部には、集積回路２が搭載される。また、プリント基板１上には集積回路２を取り囲むように高周波回路部３、中間周波同調回路（ＩＦ同調）４、共振回路部５等が構成される。そして、集積回路２と高周波回路部３、中間周波同調回路４、共振回路部５等とがプリント基板１上に形成された導体線路によって接続される。
【００２３】
集積回路２の内部にはＶＨＦのローバンド用局部発振回路（ＶＬｏ／ｏｓｃ）６、ＶＨＦのハイバンド用局部発振回路（ＶＨｉ／ｏｓｃ）７、ＵＨＦバンド用局部発振回路（Ｕ／ｏｓｃ）８、ＶＨＦバンド用混合回路（Ｖ／ｍｉｘ）９、ＵＨＦバンド用混合回路（Ｕ／ｍｉｘ）１０、中間周波増幅回路１１、ＰＬＬ回路部（ＰＬＬ）１２等が構成されている。ＰＬＬ回路部１２内には選局のための同調電圧を出力するＰＬＬ回路１２ａと各バンドを切り替えるためのバンド切替電圧を発生するバンドデコーダ１２ｂとが内蔵されている。
【００２４】
集積回路２は四角形をなし、その一辺にはＰＬＬ回路１２ａに接続された端子２ａ、２ｂ、バンドデコーダ１２ｂに接続された端子２ｃ、２ｄ、２ｅ、集積回路２内の各回路に電源電圧を供給する端子２ｆが設けられる。三つの端子２ｃ、２ｄ、２ｅと、端子２ｆとは端子２ａ、２ｂを挟んで両側に設けられている。また、他の辺にもそれぞれ端子１２ｇ乃至１２ｐが設けられている。これら端子はプリント基板１上に設けられた電極（図示せず）に接続される。
【００２５】
集積回路２内ではＰＬＬ回路１２ａとローバンド用局部発振回路６、ハイバンド用局部発振回路７、ＵＨＦバンド用局部発振回路８とがそれぞれ三本の内部配線１３によって相互に接続され、また、バンドデコーダ１２ｂとローバンド用局部発振回路６、ハイバンド用局部発振回路７、ＵＨＦバンド用局部発振回路８とがそれぞれ三本の内部配線１４によって相互に接続されている。内部配線１４はそれぞれバンドデコーダに接続された端子２ｃ、２ｄ、２ｅに接続されている。さらに、ＶＨＦバンド用混合回路９とローバンド用局部発振回路６、ＶＨＦバンド用混合回路９とハイバンド用局部発振回路７、ＵＨＦバンド用混合回路１０とＵＨＦバンド用局部発振回路８がそれぞれ三本の内部配線１５によって相互に接続されている。
そして、バンドデコーダ１２ｂから出力されるバンド切換電圧が内部配線１４のいずれかによって各局部発振回路６、７、８のいずれかに入力され、入力された局部発振回路から出力される局部発振信号が三本の内部配線１３のいずれかを介してＰＬＬ回路１２ａに入力されると共に三本の内部配線１５のいずれかによってＶＨＦバンド用混合回路９またはＵＨＦバンド用混合回路１０にも入力される。
【００２６】
高周波回路部３はＶＨＦバンドのテレビジョン信号の中から受信すべきテレビジョン信号を選択して増幅するＶＨＦバンド用高周波回路（Ｖ／ｒｆ）３ａと、ＵＨＦバンドのテレビジョン信号の中から受信すべきテレビジョン信号を選択して増幅するＵＨＦバンド用高周波回路（Ｕ／ｒｆ）３ｂとを有している。そして、ＶＨＦバンド用高周波回路３ａが端子２ｊを介してＶＨＦバンド用混合回路２ｄに接続され、ＵＨＦバンド用高周波回路３ｂが端子２ｋを介してＵＨＦバンド用混合回路２ｅに接続される。また、ＰＬＬ回路１２ａから出力される同調電圧は端子２ｈを介してＶＨＦバンド用高周波回路３ａ、ＵＨＦバンド高周波回路３ｂに供給される。
【００２７】
また、共振回路部５はローバンド用共振回路（ＶＬｏ／共振）５ａ、ハイバンド用共振回路（ＶＨｉ／共振）５ｂ、ＵＨＦバンド用共振回路（Ｕ／共振）５ｃを有し、ローバンド用共振回路５ａは端子２ｌを介してローバンド用局部発振回路６に接続され、ハイバンド用共振回路５ｂは端子２ｍを介してハイバンド用局部発振回路７に接続され、ＵＨＦバンド用共振回路５ｃは端子２ｎを介してＵＨＦバンド用局部発振回路２ｃに接続される。これら共振回路５ａ、５ｂ、５ｃはそれぞれのバンドの発振周波数設定用のものである。
また、中間周波同調回路４は端子２ｉを介してＶＨＦバンド用混合回路９とＵＨＦバンド用混合回路１０とに接続されると共に端子２ｇを介して中間周波増幅回路１１に接続される。中間周波増幅回路１１の出力端は端子２ｏに接続される。端子２ｐは接地される。
さらに、プリント基板１上には端子２ｃ、２ｄとＶＨＦ高周波回路３ａとを接続し、端子２ｅとＵＨＦ高周波回路３ｂとを接続する三本の第一の線路導体１６（１６ａ、１６ｂ、１６ｃ）が形成されている。
【００２８】
また、プリント基板１の外周端には選局信号を入力する端子部１ａ、１ｂと電源電圧を入力する端子部１ｃと中間周波信号を出力する端子部１ｄとが設けられている。これらの端子部は金属ケースから外部に突出する外部端子（図示せず）に接続される。端子部１ａ、１ｂにはテレビジョン受信機本体部に設けられた選局手段（ＣＰＵ）１７から選局信号が入力され（端子部１ａには選局データ、端子部１ｂにはクロック信号が入力される）、端子部１ｃには電源部１８から電源電圧が供給される。
そして、端子部１ａと端子２ａ、端子部１ｂと端子２ｂがそれぞれ二本の第二の線路導体１９（１９ａ、１９ｂ）によって接続される。第二の線路導体１９の両端にはそれぞれ抵抗２０が直列に挿入される。さらに、端子部１ｃと端子２ｆとが第三の線路導体２１によって接続され、端子部１ｄと端子２ｏとが第四の線路導体２２によって接続される。
【００２９】
ここで、隣接する第一の線路導体１６と第二の線路導体１９との間、及び隣接する第二の線路導体１９と第三の線路導体２１との間に、その一部が第二の線路導体１９に沿ってプリント基板１上に形成された環状の接地導体２３が設けられ、第二の線路導体１９は接地導体２３によって囲まれている。そして、接地導体２３は第二の線路導体１９に直列に挿入されている抵抗２０の部分で交差させ、抵抗２０が接地導体２３を跨ぐようにして互いの接触を避けている。
【００３０】
また、接地導体２３は第一の線路導体１６と第二の線路導体１９との間、及び第二の線路導体１９と第三の線路導体２１との間において分断され、分断された両側が低インピーダンスの直流カットコンデンサ２４、２４によって互いに接続されると共に、分断された一方２３ａが第三の線路導体２１に接続され、分断された他方２３ｂはプリント基板１上の図示しない他の接地導体に接続される。
さらに、三本の第一の線路導体１６をそれぞれ低インピーダンスの直流カットコンデンサ２５、２５、２５によって接地導体２３に接続している。
この結果第一の線路導体１６と接地導体２３と第三の線路導体２１とは高周波的に接地電位となる。
【００３１】
さらに、第二の線路導体１９の途中点をコンデンサ２６によって接地すると、第二の線路導体１９の両側の二個の抵抗２０とコンデンサ２６とによってＴ型のハイバスフィルタが構成される。このハイパスフィルタは選局手段１７から入力される選局信号を減衰しない程度のカットオフ周波数を有するように設定される。
【００３２】
以上の構成において、選局手段１７からローバンドのチャンネルの選局信号が出力されて第二の導体１９を介してＰＬＬ回路１２ａとバンドデコーダ１２ｂに入力されると、バンドデコーダ１２ｂはローバンド用の切換電圧を発生して内部配線１４を介してローバンド用局部発振回路６に入力すると共に第一の線路導体１６ａを介してＶＨＦ高周波増幅回路３ａに入力する。また、ＰＬＬ回路１２ａは同調電圧を発生してローバンド用局部発振回路６とＶＨＦ高周波増幅回路３ａに入力する。すると、ＶＨＦ高周波回路３ａからＶＨＦ混合回路９にローバンドのテレビジョン信号が入力され、同時に、ローバンド用局部発振回路６からローバンド用の局部発振信号がＶＨＦ混合回路９に入力される。そして、ＶＨＦ混合回路９から中間周波信号が出力され、これは中間周波同調回路４、中間周波増幅回路１１、端子２ｏ、第四の線路導体２２を介して端子部１ｃに出力される。
【００３３】
同様に、選局手段１７からハイバンドのチャンネルの選局信号が出力されると、バンドデコーダ１２ｂはハイバンド用の切換電圧を発生して内部配線１４を介してハイバンド用局部発振回路７に入力すると共に第一の線路導体１６ｂを介してＶＨＦ高周波増幅回路３ａに入力する。また、ＰＬＬ回路１２ａは同調電圧を発生してハイバンド用局部発振回路７とＶＨＦ高周波増幅回路３ａに入力する。すると、ＶＨＦ高周波回路３ａからＶＨＦ混合回路９にハイバンドのテレビジョン信号が入力され、同時に、ハイバンド用局部発振回路７からハイバンド用の局部発振信号がＶＨＦ混合回路９に入力される。そして、ＶＨＦ混合回路９から出力された中間周波信号は端子部１ｃに出力される。
【００３４】
同様に、選局手段１７からＵＨＦバンドのチャンネルの選局信号が出力されると、バンドデコーダ１２ｂはＵＨＦバンド用の切換電圧を発生して内部配線１４を介してＵＨＦバンド用局部発振回路８に入力すると共に第一の線路導体１６ｃを介してＵＨＦ高周波増幅回路３ｂに入力する。また、ＰＬＬ回路１２ａは同調電圧を発生してＵＨＦバンド用局部発振回路８とＵＨＦ高周波増幅回路３ｂに入力する。すると、ＵＨＦ高周波回路３ｂからＵＨＦ混合回路１０にＵＨＦバンドのテレビジョン信号が入力され、同時に、ＵＨＦバンド用局部発振回路８からＵＨＦバンド用の局部発振信号がＵＨＦ混合回路１０に入力される。そして、ＵＨＦ混合回路１０から中間周波信号が出力され、これは中間周波同調回路４、中間周波増幅回路１１、端子２ｏ、第四の線路導体２２を介して端子部１ｃに出力される。
【００３５】
以上の動作においては、第一の線路導体１６と第二の線路導体１９との間に設けられた接地導体２３がシールド効果を有するので、第二の線路導体１９を伝送する選局信号が第一の線路導体１６に飛びつきにくくなっている。そのため、バンドデコーダ１２ｂから出力されるバンド切換電圧に選局信号が重畳されず局部発振信号の位相ノイズ減少する。
また、第二の第二の線路導体の両端側に抵抗が直列に挿入されているので、第二の線路導体１９は等価的にＱダンプされ、第一の線路導体１６との結合が弱まる。このため、選局信号の飛びつきが少なくなる。
【００３６】
さらに、接地導体２３によって第二の線路導体１９を囲むので、選局信号の飛びつきは一層少なくなる。
さらに、第一の線路導体１６に飛びついた選局信号は低インピーダンスのコンデンサ２５によって接地導体２３に流れるので、バンド切換電圧には選局信号が重畳しにくい。
さらに、電源電圧を供給する第三の線路導体２１はもともと高周波的にはグランドの電位となっているので、接地導体２３は第三の線路導体２１に接続されることでシールド効果が一層増す。
【００３７】
さらに、第二の線路導体１９に接続されたコンデンサ２６と抵抗２０とによってＴ型のハイパスフィルタ形成されるので、テレビジョン本体部から入力される選局信号に重畳された不要な信号が除去されて妨害を避けることが出来る。
【００３８】
【発明の効果】
以上のように、本発明のテレビジョンチューナは、プリント基板上にはバンド切換電圧を高周波回路に伝送する第一の線路導体と選局信号をバンドデコーダに入力する第二の線路導体とが互いに隣接して形成され、少なくとも第一の線路導体と第二の線路導体との間で第二の線路導体に沿ってプリント基板上に形成された接地導体を設け、接地導体を高周波的に接地したので、接地導体がシールド効果を有し、第二の線路導体を伝送する選局信号が第一の線路導体１６に飛びつきにくくなっている。そのため、バンドデコーダから出力されるバンド切換電圧に選局信号が重畳されず局部発振信号の位相ノイズ減少する。
【００３９】
また、本発明のテレビジョンチューナは、第二の線路導体の両端側には直列に抵抗を挿入したので、第二の線路導体は等価的にＱダンプされ、第一の線路導体との結合が弱まる。このため、選局信号の飛びつきが少なくなる。
【００４０】
また、本発明のテレビジョンチューナは、接地導体を延在して環状となすと共に第二の線路導体を囲み、接地導体を抵抗で跨がせたので、選局信号の飛びつきは一層少なくなるとともに、接地導体と第二の線路導体との互いの接触も防げる。
【００４１】
また、本発明のテレビジョンチューナは、第一の線路導体を高周波的に低インピーダンスとなるコンデンサによって接地導体に接続したので、第一の線路導体に飛びついた選局信号は低インピーダンスのコンデンサによって接地導体に流れるので、バンド切換電圧には選局信号が重畳しにくい。
【００４２】
また、本発明のテレビジョンチューナは、プリント基板上には各回路に電源電圧を供給するための第三の線路導体が第二の線路導体に隣接して形成されており、接地導体を第三の線路導体に接続したので、電源電圧を供給する第三の線路導体はもともと高周波的にはグランドの電位となっていることから、接地導体は第三の線路導体に接続されることで一層シールド効果が増す。
【００４３】
また、本発明のテレビジョンチューナは、第二の線路導体とグランドとの間にコンデンサを接続し、コンデンサと抵抗とによってＴ型のハイパスフィルタを構成したので、テレビジョン本体部から入力される選局信号に重畳された不要な信号が除去されて妨害を避けることが出来る。
【００４４】
また、本発明のテレビジョンチューナは、外部から入力される選局信号に基づいて受信すべきバンドを選択するためのバンド切替電圧を発生するバンドデコーダと、バンド切換電圧によって前記受信すべきバンドを選択するように切り替えられる高周波回路とを少なくとも有し、選局信号をバンドデコーダに入力する第二の線路導体とグランドとの間にコンデンサを接続し、コンデンサと抵抗とによってＴ型のハイパスフィルタを構成したので、テレビジョン本体部から入力される選局信号に重畳された不要な信号が除去されて妨害を避けることが出来る。
【図面の簡単な説明】
【図１】本発明のテレビジョンチューナにおける各回路の概略レイアウトと相互の接続関係とを示す配置図である。
【図２】従来のテレビジョンチューナにおける各回路の概略レイアウトと相互の接続関係とを示す配置図である。
【符号の説明】
１  プリント基板
１ａ乃至１ｄ  端子部
２  集積回路
２ａ乃至２ｐ  端子
３  高周波回路部
３ａ  ＶＨＦバンド用高周波回路
３ｂ  ＵＨＦバンド用高周波回路
４  中間周波同調回路
５  共振回路部
５ａ  ローバンド用共振回路
５ｂ  ハイバンド用共振回路
５ｃ  ＵＨＦバンド用共振回路
６  ローバンド用局部発振回路
７  ハイバンド用局部発振回路
８  ＵＨＦバンド用局部発振回路
９  ＶＨＦバンド用混合回路
１０  ＵＨＦバンド用混合回路
１１  中間周波増幅回路
１２  ＰＬＬ回路部
１２ａ  ＰＬＬ回路
１２ｂ  バンドデコーダ
１３、１４、１５  内部配線
１６  第一の線路導体
１７  選局手段
１８  電源
１９  第二の線路導体
２０  抵抗
２１  第三の線路導体
２２  第四の線路導体
２３  接地導体
２４、２５  直流カットコンデンサ
２６  コンデンサ
【図１】
0003916371.tif 000002
【図２】
0003916371.tif 000003